(57)【要約】【課題】端末ＩＤ及びｃｏｏｋｉｅ情報を用いることなくコンバージョンの発生を計測することを可能とする。【解決手段】広告配信サーバ２０は、通信端末１０において第１のアプリケーションが起動された場合、ユーザＩＤを発行する。通信端末１０は、第２のアプリケーションに関する広告を表示する。通信端末１０は、発行されたユーザＩＤを第１の格納部に格納する。リダイレクトサーバ３０は、第２のアプリケーションに関する広告が指定された場合、コンバージョン判定データを第２の格納部に格納する。コンバージョンサーバ４０は、第２のアプリケーションが通信端末１０において起動された場合、第１の格納部に格納されたユーザＩＤ及び第２のアプリケーションを識別するためのアプリケーションＩＤを含むコンバージョン判定データが第２の格納手段に格納されているかを判定する。【選択図】図８
2014211901.tif 000002
【特許請求の範囲】
【請求項１】
通信端末と通信可能な情報処理装置が実行するコンバージョン計測方法であって、
前記通信端末における第１のアプリケーションの起動に応じて、識別情報を発行するステップと、
前記第１のアプリケーションが起動された通信端末の画面に、前記第１のアプリケーションとは異なる第２のアプリケーションを起動させるための指示を受け付けるための表示をするステップと、
前記第２のアプリケーションを起動させるための指示に基づき、前記第２のアプリケーションが前記通信端末において起動された場合、前記識別情報及び前記第２のアプリケーションを識別するためのアプリケーション識別情報を格納するステップと
を具備することを特徴とするコンバージョン計測方法。
【請求項２】
前記第２のアプリケーションを起動させるための指示を受け付けるための表示は、前記第２のアプリケーションについての広告とすることを特徴とする請求項１記載のコンバージョン計測方法。
【請求項３】
前記第２のアプリケーションを起動させるための指示を受け付けた時刻を示す時刻情報を格納するステップと、
前記第２のアプリケーションが前記通信端末において起動された時刻が前記時刻情報によって示される時刻から予め定められた期間内であるかを判定するステップとをさらに含み、
前記予め定められた期間内であると判定された場合に、前記識別情報及び前記アプリケーション識別情報を格納する
請求項１記載のコンバージョン計測方法。
【請求項４】
通信端末と通信可能な情報処理装置であって、
前記通信端末における第１のアプリケーションの起動に応じて、識別情報を発行する発行手段と、
前記第１のアプリケーションが起動された通信端末の画面に、前記第１のアプリケーションとは異なる第２のアプリケーションを起動させるための指示を受け付けるための表示をする表示手段と、
前記第２のアプリケーションを起動させるための指示に基づき、前記第２のアプリケーションが前記通信端末において起動された場合、前記識別情報及び前記第２のアプリケーションを識別するためのアプリケーション識別情報を格納する格納手段と
を具備することを特徴とする情報処理装置。
【発明の詳細な説明】
【技術分野】
【０００１】
本発明は、コンバージョン計測方法及び情報処理装置に関する。
【背景技術】
【０００２】
近年では、例えば端末においてアプリケーションが起動されている際に、当該端末の画面上に他のアプリケーション等に関する広告（以下、アプリ内広告と表記）を表示することが行われている。
【０００３】
このようなアプリ内広告においては、コンバージョンの発生を計測する必要がある。なお、コンバージョンは、アプリ内広告に起因（例えば、アプリ内広告をクリックする等）して当該アプリ内広告によって宣伝されているアプリケーションがインストール及び起動されるといった最終的な成果を表すものであり、有料施策であるアプリ内広告の費用対効果等を把握するために重要な指標である。
【０００４】
このアプリ内広告に対するコンバージョンの発生を正確に計測するためには、一般的に、ＵＤＩＤ（Unique Device Identifier）またはＡｎｄｒｏｉｄ（登録商標）ＩＤ等の端末ＩＤを用いる必要がある。なお、ＵＤＩＤは、ｉＰｈｏｎｅ（登録商標）等のｉＯＳ（登録商標）端末に割り当てられている固有の識別コードである。一方、Ａｎｄｒｏｉｄ（登録商標）ＩＤは、Ａｎｄｒｏｉｄ端末に割り当てられている識別コードである。
【先行技術文献】
【特許文献】
【０００５】
【特許文献１】特開２００２−３２６５９号公報
【発明の概要】
【発明が解決しようとする課題】
【０００６】
しかしながら、近年ではＵＤＩＤの利用が非推奨となり、コンバージョンの発生を計測するために当該ＵＤＩＤを利用することは好ましくない。
【０００７】
また、例えばｗｅｂサイト等の提供者がｗｅｂブラウザを通じて訪問者のコンピュータに一時的にデータを書き込んで保存させる仕組みであるｃｏｏｋｉｅの情報をもとにコンバージョンの発生を計測する場合がある。しかしながら、ｉＰｈｏｎｅ等のスマートフォンでは、３ｒｄ  ｐａｒｔｙ  ｃｏｏｋｉｅの挙動に制限があるため、広告配信時にｃｏｏｋｉｅを利用することはできない。
【０００８】
更に、ｃｏｏｋｉｅを用いた実装では、例えば広告のクリック時及びコンバージョン発生時に、ブラウザ（アプリケーション）を起動する必要があり、利便性が低い。
【０００９】
そこで、本発明の目的は、端末ＩＤ及びｃｏｏｋｉｅ情報を用いることなくコンバージョンの発生を計測することが可能なコンバージョン計測方法及び情報処理装置を提供することにある。
【課題を解決するための手段】
【００１０】
本発明の１つの態様によれば、通信端末と通信可能な情報処理装置が実行するコンバージョン計測方法であって、前記通信端末における第１のアプリケーションの起動に応じて、識別情報を発行するステップと、前記第１のアプリケーションが起動された通信端末の画面に、前記第１のアプリケーションとは異なる第２のアプリケーションを起動させるための指示を受け付けるための表示をするステップと、前記第２のアプリケーションを起動させるための指示に基づき、前記第２のアプリケーションが前記通信端末において起動された場合、前記識別情報及び前記第２のアプリケーションを識別するためのアプリケーション識別情報を格納するステップとを具備する。
【発明の効果】
【００１１】
本発明は、端末ＩＤ及びｃｏｏｋｉｅ情報を用いることなくコンバージョンの発生を計測することを可能とする。
【図面の簡単な説明】
【００１２】
【図１】本発明の実施形態に係るコンバージョン計測システムのハードウェア構成を示す図。
【図２】図１に示す通信端末１０の主として機能構成を示す図。
【図３】図１に示す広告配信サーバ２０の主として機能構成を示すブロック図。
【図４】図１に示すリダイレクトサーバ３０の主として機能構成を示すブロック図。
【図５】図１に示すコンバージョンサーバ４０の主として機能構成を示すブロック図。
【図６】図４に示す格納部３３に格納されるコンバージョン判定データのデータ構造の一例を示す図。
【図７】図４に示す格納部３３に格納されるコンバージョン発生データのデータ構造の一例を示す図。
【図８】本実施形態に係るコンバージョン計測システムの処理手順を示すシーケンスチャート。
【図９】コンバージョン判定処理の処理手順を示すフローチャート。
【図１０】本実施形態に係るコンバージョン計測システム全体の動作を概略的に示す図。
【発明を実施するための形態】
【００１３】
以下、図面を参照して、本発明の実施形態について説明する。
【００１４】
図１は、本実施形態に係るコンバージョン計測システムのハードウェア構成を示す。本実施形態に係るコンバージョン計測システムは、通信端末１０、広告配信サーバ２０、リダイレクトサーバ３０及びコンバージョンサーバ４０を備える。なお、通信端末１０、広告配信サーバ２０、リダイレクトサーバ３０及びコンバージョンサーバ４０は、例えばインターネットのようなネットワーク５０を介して互いに通信可能に接続される。
【００１５】
通信端末１０は、ユーザによって利用される端末であり、例えばスマートフォン、フィーチャーフォン及びタブレット端末等を含む。通信端末１０においては、当該通信端末１０にインストールされた各種アプリケーションが起動（実行）される。このようにアプリケーションが起動されている際には、通信端末１０の画面上には他のアプリケーション等に関する広告（以下、アプリ内広告と表記）が表示される。なお、ネットワーク５０に接続される通信端末１０は複数存在するが、図１においては、便宜的に１つの通信端末１０のみが示されている。
【００１６】
広告配信サーバ２０は、通信端末１０の画面に表示されるアプリ内広告の内容を示すデータ（広告データ）を保持し、当該通信端末１０からの要求に応じて当該広告データを提供する機能を有する。
【００１７】
リダイレクトサーバ３０は、例えば通信端末１０に対するユーザの操作に応じて所定画面（ページ）を表示する（つまり、リダイレクトする）機能を有する。
【００１８】
コンバージョンサーバ４０は、通信端末１０の画面に表示されたアプリ内広告に対するユーザの操作等に応じてコンバージョンの発生を計測するためのサーバである。なお、コンバージョンは、例えばユーザがアプリ内広告をクリックして当該アプリ内広告によって宣伝されているアプリケーションがインストール及び起動されるといった、当該アプリ内広告の最終的な成果を表すものである。
【００１９】
図２は、図１に示す通信端末１０の主として機能構成を示すブロック図である。図２に示すように、通信端末１０は、問い合わせ処理部１１、格納部１２、広告表示処理部１３及び通知部１４を含む。本実施形態において、問い合わせ処理部１１、広告表示処理部１３及び通知部１４は、通信端末１０において起動される各種アプリケーションに組み込まれているプログラムによって実現される機能部であるものとする。
【００２０】
問い合わせ処理部１１は、通信端末１０においてアプリケーション（第１のアプリケーション）が起動された場合に、当該通信端末１０の画面にアプリ内広告（第１のアプリケーションとは異なる第２のアプリケーションに関する広告）を表示するために広告配信サーバ２０に対して問い合わせを行う。また、問い合わせ処理部１１は、広告配信サーバ２０に対する問い合わせの結果として、通信端末１０の画面に表示されるアプリ内広告及び後述するユーザ識別情報（以下、ユーザＩＤと表記）を広告配信サーバ２０から受信する。
【００２１】
格納部１２には、問い合わせ処理部１１によって受信されたユーザＩＤが格納される。
【００２２】
広告表示処理部１３は、アプリケーションが起動された通信端末１０の画面に、問い合わせ処理部１１によって受信されたアプリ内広告を表示する処理を実行する。
【００２３】
通知部１４は、広告表示処理部１３によって表示されたアプリ内広告を指定する操作（つまり、通信端末１０の画面上でアプリ内広告に対するクリック操作またはタップ操作等）がユーザによって行われた場合、当該アプリ内広告が指定された旨をリダイレクトサーバ３０に通知する。この場合、通知部１４は、格納部１２に格納されたユーザＩＤ及び広告表示処理部１３によって表示されたアプリ内広告を識別するための広告識別情報（以下、広告ＩＤと表記）を含むクリック通知をリダイレクトサーバ３０に通知（送信）する。
【００２４】
また、通知部１４は、アプリ内広告によって宣伝されているアプリケーションが通信端末１０において初回起動された場合、当該アプリケーションが起動された旨をコンバージョンサーバ４０に通知する。この場合、通知部１４は、格納部１２に格納されたユーザＩＤ及び通信端末１０において起動されたアプリケーションを識別するためのアプリケーション識別情報（以下、アプリケーションＩＤと表記）を含む起動完了通知をコンバージョンサーバ４０に通知（送信）する。
【００２５】
図３は、図１に示す広告配信サーバ２０の主として機能構成を示すブロック図である。図３に示すように、広告配信サーバ２０は、問い合わせ受付部２１、広告取得部２２、ＩＤ発行部２３及び広告配信部２４を含む。
【００２６】
問い合わせ受付部２１は、上記した通信端末１０からの問い合わせ（通信端末１０の画面にアプリ内広告を表示するための問い合わせ）を受け付ける。
【００２７】
広告取得部２２は、問い合わせ受付部２１によって受け付けられた問い合わせに応じたアプリ内広告を取得する。具体的には、広告取得部２２は、広告配信サーバ２０内で保持されている広告データに基づいて、通信端末１０の画面に表示されるアプリ内広告（広告クリエイティブ）を取得する。なお、広告取得部２２によって取得されるアプリ内広告は、予め定められたものであってもよいし、例えば通信端末１０を利用するユーザの属性情報等に基づいて決定されるものであってもよい。
【００２８】
ＩＤ発行部２３は、問い合わせ受付部２１によって受け付けられた問い合わせに対してＩＤを発行する。ここでＩＤ発行部２３によって発行されるＩＤは、例えば問い合わせを行った通信端末１０を利用するユーザに割り当てられたユーザＩＤである。
【００２９】
広告配信部２４は、広告取得部２２によって取得されたアプリ内広告及びＩＤ発行部２３によって発行されたユーザＩＤを通信端末１０に対して配信（送信）する。
【００３０】
図４は、図１に示すリダイレクトサーバ３０の主として機能構成を示すブロック図である。図４に示すように、リダイレクトサーバ３０は、受信部３１、データ格納処理部３２、格納部３３及びリダイレクト処理部３４を含む。
【００３１】
受信部３１は、通信端末１０の画面に表示されたアプリ内広告を指定する操作がユーザによって行われた際に当該通信端末１０に含まれる通知部１４によって送信されたクリック通知（ユーザＩＤ及び広告ＩＤを含む）を受信する。
【００３２】
データ格納処理部３２は、受信部３１によって受信されたユーザＩＤ及び広告ＩＤと、アプリ内広告によって宣伝されるアプリケーションを識別するためのアプリケーションＩＤと、通信端末１０においてアプリ内広告を指定する操作が行われた時刻（受信部３１によってクリック通知が受信された時刻）を示す時刻情報とを含むコンバージョン判定データ（クリックデータ）を格納部３３に格納する。
【００３３】
リダイレクト処理部３４は、通信端末１０に対するユーザの操作に応じて、当該通信端末１０に所定画面を表示させるために、予め定められたアプリケーション（例えば、ストアアプリケーション）にリダイレクトを行う。
【００３４】
図５は、図１に示すコンバージョンサーバ４０の主として機能構成を示すブロック図である。図５に示すように、コンバージョンサーバ４０は、受信部４１、判定処理部４２及びコンバージョン処理部４３を含む。
【００３５】
受信部４１は、アプリ内広告によって宣伝されているアプリケーションが通信端末１０において初回起動された際に当該通信端末１０に含まれる通知部１４によって送信された起動完了通知（ユーザＩＤ及びアプリケーションＩＤを含む）を受信する。
【００３６】
判定処理部４２は、受信部４１によって受信されたユーザＩＤ及びアプリケーションＩＤを含むコンバージョン判定データがリダイレクトサーバ４０に含まれる格納部３３に格納されているか否かを判定する。
【００３７】
判定処理部４２は、受信部４１によって受信されたユーザＩＤ及びアプリケーションＩＤを含むコンバージョン判定データが格納部３３に格納されていると判定された場合、通信端末１０の画面に表示されたアプリ内広告に対してコンバージョンが発生した旨を示すコンバージョン発生データを生成する。このコンバージョン発生データには、例えばコンバージョン判定データ及びコンバージョンが発生した旨を示すフラグが含まれる。
【００３８】
判定処理部４２によって生成されたコンバージョン発生データは、リダイレクトサーバ３０に含まれる格納部３３に格納される。
【００３９】
コンバージョン処理部４３は、リダイレクトサーバ３０に含まれる格納部３３に格納されているコンバージョン発生データに基づいて、アプリ内広告に対するコンバージョンの発生を計測する処理を行う。このようにコンバージョンの発生を計測することによって、有料施策であるアプリ内広告の費用対効果等を把握することができる。
【００４０】
図６は、図４に示す格納部３３に格納されるコンバージョン判定データのデータ構造の一例を示す。なお、コンバージョン判定データは、上記したように通信端末１０の画面に表示されたアプリ内広告を指定する操作がユーザによって行われた際に格納部３３に格納される情報である。
【００４１】
図６に示すように、コンバージョン判定データには、ユーザＩＤ、広告ＩＤ、アプリケーションＩＤ及び時刻情報が対応づけて含まれる。ユーザＩＤは、広告配信サーバ２０に対して問い合わせを行った通信端末１０を利用するユーザに対して割り当てられた識別子である。広告ＩＤは、ユーザの操作に応じて指定されたアプリ内広告を識別するための識別子である。アプリケーションＩＤは、広告ＩＤによって識別される広告（アプリ内広告）によって宣伝されるアプリケーションを識別するための識別子である。時刻情報は、ユーザの操作に応じてアプリ内広告が指定された時刻を示す。
【００４２】
図６に示す例では、コンバージョン判定データには、ユーザＩＤ「０００１」、広告ＩＤ「広告１」、アプリケーションＩＤ「Ｂ」及び時刻情報「時刻１」が対応づけて含まれている。このコンバージョン判定データによれば、ユーザＩＤ「０００１」が割り当てられたユーザによって利用される通信端末１０においてアプリケーションＩＤ「Ｂ」によって識別されるアプリケーションを宣伝する広告ＩＤ「広告１」によって識別される広告（アプリ内広告）が時刻情報「時刻１」によって示される時刻に指定（クリック）されたことが示される。
【００４３】
同様に、コンバージョン判定データには、ユーザＩＤ「０００２」、広告ＩＤ「広告２」、アプリケーションＩＤ「Ａ」及び時刻情報「時刻２」が対応づけて含まれている。このコンバージョン判定データによれば、ユーザＩＤ「０００２」が割り当てられたユーザによって利用される通信端末１０においてアプリケーションＩＤ「Ａ」によって識別されるアプリケーションを宣伝する広告ＩＤ「広告２」によって識別される広告（アプリ内広告）が時刻情報「時刻２」によって示される時刻に指定（クリック）されたことが示される。
【００４４】
図７は、図４に示す格納部３３に格納されるコンバージョン発生データのデータ構造の一例を示す。
【００４５】
図７に示すように、コンバージョン発生データには、上記したコンバージョン判定データ（ユーザＩＤ、広告ＩＤ、アプリケーションＩＤ及び時刻情報）及びコンバージョンが発生した旨を示すフラグが対応づけて含まれる。
【００４６】
図７に示す例では、コンバージョン発生データには、ユーザＩＤ「０００１」、広告ＩＤ「広告１」、アプリケーションＩＤ「Ｂ」、時刻情報「時刻１」及びフラグ「発生」が対応づけて含まれている。このコンバージョン発生データによれば、ユーザＩＤ「０００１」が割り当てられたユーザによって利用される通信端末１０において、アプリケーションＩＤ「Ｂ」によって識別されるアプリケーションを宣伝する広告ＩＤ「広告１」によって識別される広告（アプリ内広告）に対するコンバージョンが発生した旨が示されている。
【００４７】
同様に、コンバージョン発生データには、ユーザＩＤ「０００２」、広告ＩＤ「広告２」、アプリケーションＩＤ「Ａ」、時刻情報「時刻２」及びフラグ「発生」が対応づけて含まれている。このコンバージョン発生データによれば、ユーザＩＤ「０００２」が割り当てられたユーザによって利用される通信端末１０において、アプリケーションＩＤ「Ａ」によって識別されるアプリケーションを宣伝する広告ＩＤ「広告２」によって識別される広告（アプリ内広告）に対するコンバージョンが発生した旨が示されている。
【００４８】
次に、図８のシーケンスチャートを参照して、本実施形態に係るコンバージョン計測システムの処理手順について説明する。
【００４９】
まず、通信端末１０においてアプリケーションが起動されたものとする（ステップＳ１）。以下、ここで通信端末１０において起動されたアプリケーションをアプリケーションＡと称する。
【００５０】
このように通信端末１０においてアプリケーションＡが起動された場合、当該通信端末１０に含まれる問い合わせ処理部１１は、当該通信端末１０の画面にアプリ内広告を表示するために広告配信サーバ２０に対して問い合わせ（広告配信リクエスト）を行う（ステップＳ２）。
【００５１】
この場合、広告配信サーバ２０に含まれる広告取得部２２は、通信端末１０の画面に表示するアプリ内広告（広告クリエイティブ）を取得する。以下、広告取得部２２によって取得されたアプリ内広告によって宣伝されるアプリケーションをアプリケーションＢと称する。
【００５２】
また、広告配信サーバ２０に含まれるＩＤ発行部２３は、通信端末１０を利用するユーザに割り当てられるユーザＩＤを発行する（ステップＳ３）。なお、ＩＤ発行部２３によって発行されるユーザＩＤは、他のユーザＩＤと重複しないように広告配信サーバ２０において管理される。
【００５３】
広告配信サーバ２０に含まれる広告配信部２４は、通信端末１０からの問い合わせに対する応答として、アプリ内広告及びユーザＩＤを通信端末１０に送信する（ステップＳ４）。
【００５４】
通信端末１０に含まれる問い合わせ処理部１１は、広告配信サーバ２０（に含まれる広告配信部２４）によって送信されたアプリ内広告及びユーザＩＤを受信する。問い合わせ処理部１１は、受信されたユーザＩＤを格納部１２に格納する（ステップＳ５）。なお、問い合わせ処理部１１は、ユーザＩＤを特定の名前（キー名）で格納する。また、格納部１２には、例えばペーストボード及びファイル等の端末内共有スペースが含まれる。
【００５５】
通信端末１０に含まれる広告表示処理部１３は、問い合わせ処理部１１によって受信されたアプリ内広告を、アプリケーションＡが起動された通信端末１０の画面に表示する（ステップＳ６）。
【００５６】
ここで、ユーザは、通信端末１０の画面に表示されたアプリ内広告を指定する操作を行うことができる。具体的には、ユーザは、アプリ内広告に対してクリック操作（または、タップ操作）を行うことができる。このような操作がユーザによって行われた場合、通信端末１０に含まれる通知部１４は、格納部１２に格納されたユーザＩＤ及びアプリ内広告を識別するための広告ＩＤを含むクリック通知（つまり、アプリ内広告を指定する操作が行われた旨を示す通知）をリダイレクトサーバ３０に通知（送信）する（ステップＳ７）。
【００５７】
リダイレクトサーバ３０に含まれる受信部３１は、通信端末１０（に含まれる通知部１４）によって送信されたクリック通知を受信する。リダイレクトサーバ３０に含まれるデータ格納処理部３２は、受信部３１によって受信されたクリック通知に含まれるユーザＩＤ及び広告ＩＤ、当該広告ＩＤによって識別される広告（アプリ内広告）によって宣伝されるアプリケーションＢを識別するためのアプリケーションＩＤ及びクリック通知が受信された時刻（通信端末１０においてアプリ内広告に対するクリック操作が行われた時刻）を示す時刻情報を含むコンバージョン判定データを生成する。なお、アプリケーションＩＤは、例えば広告ＩＤに基づいて取得されるが、リダイレクトサーバ３０の内部で取得されてもよいし、リダイレクトサーバ３０の外部から取得されても構わない。
【００５８】
データ格納処理部３２は、生成されたコンバージョン判定データを格納部３３に格納する（ステップＳ８）。
【００５９】
ステップＳ８の処理が実行されると、リダイレクトサーバ３０に含まれるリダイレクト処理部３４は、例えばアプリケーションＢのインストールを行うことが可能なストアアプリにリダイレクトを行う（ステップＳ９）。
【００６０】
これにより、通信端末１０の画面は所定画面（アプリケーションＢをインストール可能な画面）に遷移し（ステップＳ１０）、当該アプリケーションＢのインストールをユーザに対して促すことができる。
【００６１】
ここで、ユーザの操作に応じて、通信端末１０においてアプリケーションＢがインストールされたものとする（ステップＳ１１）。
【００６２】
また、通信端末１０においてアプリケーションＢが初回起動されたものとする（ステップＳ１２）。
【００６３】
この場合、通信端末１０に含まれる通知部１４は、格納部１２に格納されているユーザＩＤを取得する（ステップＳ１３）。この場合、上述したキー名を用いることによってユーザＩＤを取得することができる。
【００６４】
ここで、通知部１４は、取得されたユーザＩＤ及び通信端末１０において起動されたアプリケーションＢを識別するためのアプリケーションＩＤを含む起動完了通知をコンバージョンサーバ４０に通知（送信）する（ステップＳ１４）。
【００６５】
コンバージョンサーバ４０に含まれる受信部４１は、通信端末１０（に含まれる通知部１４）によって送信された起動完了通知を受信する。コンバージョンサーバ４０に含まれる判定処理部４２は、リダイレクトサーバ３０に含まれる格納部３３を参照して、通信端末１０の画面に表示されたアプリ内広告に対してコンバージョンが発生したか否かを判定する処理（以下、コンバージョン判定処理と表記）を実行する（ステップＳ１５）。なお、このコンバージョン判定処理の詳細については後述する。
【００６６】
コンバージョン判定処理においてコンバージョンが発生したと判定された場合、判定処理部４２は、当該コンバージョンが発生した旨を示すコンバージョン発生データを生成する（ステップＳ１６）。このコンバージョン発生データには、受信部４１によって受信された起動完了通知に含まれるユーザＩＤ及びアプリケーションＩＤを含むコンバージョン判定データ及びコンバージョンが発生した旨を示すフラグが含まれる。
【００６７】
判定処理部４２によって生成されたコンバージョン発生データは、リダイレクトサーバ３０に送信される（ステップＳ１７）。
【００６８】
リダイレクトサーバ３０に含まれるデータ格納処理部３２は、コンバージョンサーバ４０から送信されたコンバージョン発生データを、格納部３３に格納する（ステップＳ１８）。このようなコンバージョン発生データを参照することにより、例えばアプリ内広告に対して発生したコンバージョンを計測することが可能となる。
【００６９】
次に、図９のフローチャートを参照して、上述したコンバージョン判定処理（図８に示すステップＳ１５の処理）の処理手順について説明する。
【００７０】
まず、判定処理部４２は、受信部４１によって受信された起動完了通知に含まれるユーザＩＤ及びアプリケーションＩＤを含むコンバージョン判定データ（以下、対象コンバージョン判定データと表記）がリダイレクトサーバ３０に含まれる格納部３３に格納されているか否かを判定する（ステップＳ２１）。
【００７１】
対象コンバージョン判定データが格納部３３に格納されていると判定された場合（ステップＳ２１のＹＥＳ）、判定処理部４２は、当該コンバージョン判定データに含まれる時刻情報によって示される時刻が現在時刻（通信端末１０においてアプリケーションＢが初回起動された時刻）から予め定められた期間内であるか否かを判定する（ステップＳ２２）。なお、このステップＳ２２における予め定められた期間とは、コンバージョンの発生とみなせる期間であり、例えば数日程度であるものとする。
【００７２】
予め定められた期間内であると判定された場合（ステップＳ２２のＹＥＳ）、判定処理部４２は、通信端末１０の画面に表示されたアプリ内広告に対してコンバージョンが発生したと判定する（ステップＳ２３）。この場合、上述した図８に示すステップＳ１６以降の処理が実行される。
【００７３】
一方、対象コンバージョン判定データが格納部３３に格納されていないと判定された場合（ステップＳ２１のＮＯ）、または予め定められた期間内でないと判定された場合（ステップＳ２２のＮＯ）、判定処理部４２は、通信端末１０の画面に表示されたアプリ内広告に対してコンバージョンが発生していないと判定する（ステップＳ２４）。この場合、上述した図８に示すステップＳ１６以降の処理は実行されない。
【００７４】
ここで、図１０は、本実施形態に係るコンバージョン計測システム全体の動作を概略的に示す図である。なお、ここではコンバージョン計測システム全体の動作を概略的に説明するものとし、上述した説明と重複する部分についてはその詳しい説明を省略する。
【００７５】
本実施形態に係るコンバージョン計測システムにおいて、通信端末１０でアプリケーションＡ（アプリＡ）が起動された場合、通信端末１０は、アプリ内広告を表示するために広告配信サーバ２０に対して問い合わせを行う。この場合、通信端末１０は、通信端末１０に表示するアプリ内広告を要求する広告配信リクエストを広告配信サーバ２０に送信する（ステップＳ３１）。
【００７６】
次に、広告配信サーバ２０は、通信端末１０からの問い合わせ（広告配信リクエスト）に対する応答として、アプリ内広告（広告クリエイティブ）及びユーザＩＤ（ｕｓｅｒ  ＩＤ）を通信端末１０に返却する（ステップＳ３２）。
【００７７】
この場合、通信端末１０においては、ユーザＩＤがペーストボード（Ｐａｓｔｅ  Ｂｏａｒｄ）またはファイル（Ｆｉｌｅ）等の端末共有スペース（格納部１２）に書き込まれる（ステップＳ３３）。また、アプリケーションＡが起動された通信端末１０の画面にアプリ内広告（ここでは、アプリケーションＢを宣伝するアプリ内広告）が表示される。
【００７８】
ここで、通信端末１０の画面に表示されたアプリ内広告を指定する操作がユーザによって行われた場合、通信端末１０は、リダイレクトサーバ３０にクリック通知を通知する（ステップＳ３４）。
【００７９】
なお、上記したステップＳ３１〜Ｓ３４において説明した通信端末１０の処理は、通信端末１０がアプリケーションＡ（に組み込まれているプログラム）を実行することによって実現されるものとする。
【００８０】
リダイレクトサーバ３０では、通信端末１０からのクリック通知に基づいてコンバージョン判定データがデータベース（格納部３３）に書き込まれる（ステップＳ３５）。
【００８１】
また、リダイレクトサーバ３０は、通信端末１０において起動されるアプリケーションをアプリケーションＡからストアアプリケーションに遷移させる（ステップＳ３６）。この場合、通信端末１０には、当該ストアアプリケーションに応じた例えばアプリケーションＢのインストール画面等が表示される。
【００８２】
ここで、通信端末１０においてアプリケーションＢがインストールされて初回起動された場合、通信端末１０は、上記したペーストボード（Ｐａｓｔｅ  Ｂｏａｒｄ）またはファイル（Ｆｉｌｅ）からユーザＩＤを読み込む（ステップＳ３７）。また、通信端末１０は、起動完了通知をコンバージョンサーバ４０に通知する（ステップＳ３８）。
【００８３】
なお、上記したステップＳ３７及びＳ３８において説明した通信端末１０の処理は、通信端末１０がアプリケーションＢ（に組み込まれているプログラム）を実行することによって実現されるものとする。
【００８４】
コンバージョンサーバ４０は、通信端末１０から通知された起動完了通知及びデータベースに格納されたコンバージョン判定情報に基づいて、コンバージョンが発生したか否かを判定（確認）する（ステップＳ３９）。
【００８５】
上記したように本実施形態においては、通信端末１０においてアプリケーションＡ（第１のアプリケーション）が起動された場合、当該通信端末１０を利用するユーザに割り当てられたユーザＩＤを発行し、アプリケーションＡが起動された通信端末の画面に、当該アプリケーションＡとは異なるアプリケーションＢ（第２のアプリケーション）に関するアプリ内広告を表示し、発行されたユーザＩＤを通信端末１０内の格納部１２（端末内共有スペースであるペーストボードまたはファイル等）に格納し、通信端末１０に対してアプリ内広告を指定する操作がユーザによって行われた場合、格納部１２に格納されたユーザＩＤ及びアプリケーションＢを識別するためのアプリケーションＩＤを含むコンバージョン判定データをリダイレクトサーバ３０に含まれる格納部３３に格納し、アプリケーションＢが通信端末１０において起動された場合、格納部１２に格納されたユーザＩＤ及びアプリケーションＢを識別するためのアプリケーションＩＤを含むコンバージョン判定データが格納部３３に格納されているか（つまり、コンバージョンが発生したか）を判定する構成により、端末ＩＤ及びｃｏｏｋｉｅ情報を用いることなくコンバージョンの発生を計測することが可能となる。
【００８６】
具体的には、本実施形態によれば、アプリ内広告が表示されるアプリケーションＡとコンバージョンが発生するアプリケーションＢの両方に通信端末１０内の同一箇所（端末内共有スペース）にアクセスするためのプログラムが組み込まれ、当該端末内共有スペースのデータ（ユーザＩＤ）を参照することにより、アプリ内広告に対する指定操作（クリック操作等）とアプリケーションＢの起動との関連（つまり、コンバージョンの発生）を判定することが可能となる。
【００８７】
また、本実施形態においては、格納部１２に格納されたユーザＩＤ及びアプリケーションＢを識別するためのアプリケーションＩＤを含むコンバージョン判定データが格納部３３に格納されていると判定され場合（つまり、コンバージョンが発生したと判定された場合）、コンバージョンが発生した旨を示すコンバージョン発生情報を格納する構成により、当該コンバージョン発生情報を参照してコンバージョンの発生を計測することが可能となる。
【００８８】
更に、本実施形態においては、アプリケーションＢが通信端末１０において起動された時刻がコンバージョン判定情報に含まれる時刻情報によって示される時刻から予め定められた期間内である場合にコンバージョン発生情報を格納する構成により、例えばアプリ内広告が指定されてから長期間経過後にアプリケーションＢが起動されたような場合にはコンバージョンの発生として計測しないようにすることができる。
【００８９】
なお、本実施形態においては、広告配信サーバ２０、リダイレクトサーバ３０及びコンバージョンサーバ４０がそれぞれ別個の装置であるものとして説明したが、これらのサーバ２０、３０及び４０は、１つのコンピュータ（装置）で実現されてもよいし、その機能毎に複数のコンピュータで構成されてもよい。
【００９０】
また、本実施形態においては、コンバージョン判定データ及びコンバージョン発生データがリダイレクトサーバ３０に含まれる格納部３３に格納されるものとして説明したが、これらのデータはリダイレクトサーバ３０の外部（例えば、コンバージョンサーバ４０等）に格納されても構わない。
【００９１】
なお、本願発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。  
以下に、本願の原出願の当初の特許請求の範囲に記載された発明を付記する。
［１］
ユーザによって利用される第１の格納手段を有する通信端末を備えるコンバージョン計測システムが実行するコンバージョン計測方法であって、
前記通信端末において第１のアプリケーションが起動された場合、当該通信端末を利用するユーザに割り当てられたユーザ識別情報を発行するステップと、
前記第１のアプリケーションが起動された通信端末の画面に、前記第１のアプリケーションとは異なる第２のアプリケーションに関する広告を表示するステップと、
前記発行されたユーザ識別情報を前記第１の格納手段に格納するステップと、
前記通信端末に対して前記第２のアプリケーションに関する広告を指定する操作が前記ユーザによって行われた場合、前記第１の格納手段に格納されたユーザ識別情報及び前記第２のアプリケーションを識別するためのアプリケーション識別情報を含むコンバージョン判定データを第２の格納手段に格納するステップと、
前記第２のアプリケーションが前記通信端末において起動された場合、前記第１の格納手段に格納されたユーザ識別情報及び前記第２のアプリケーションを識別するためのアプリケーション識別情報を含むコンバージョン判定データが前記第２の格納手段に格納されているかを判定するステップと
を具備することを特徴とするコンバージョン計測方法。
［２］
前記第２の格納手段に格納されていると判定された場合、前記通信端末の画面に表示されたアプリ内広告に対してコンバージョンが発生した旨を示すコンバージョン発生データを第３の格納手段に格納するステップを更に具備することを特徴とする［１］記載のコンバージョン計測方法。
［３］
前記第２の格納手段に格納するステップにおいて、前記第２のアプリケーションに関する広告が指定された時刻を示す時刻情報を更に含む前記コンバージョン判定データを前記第２の格納手段に格納し、
前記第３の格納手段に格納するステップは、
前記第２のアプリケーションが前記通信端末において起動された時刻が前記第２の格納手段に格納されたコンバージョン判定データに含まれる時刻情報によって示される時刻から予め定められた期間内であるかを判定するステップと、
前記予め定められた期間内であると判定された場合に、前記コンバージョン発生データを前記第３の格納手段に格納するステップと
を含む［２］記載のコンバージョン計測方法。
［４］
前記コンバージョン計測システムは、前記通信端末と通信可能に接続され、かつ、互いに通信可能に接続される広告配信サーバ、リダイレクトサーバ及びコンバージョンサーバを更に備え、
前記広告を表示するステップ、前記第１の格納手段に格納するステップ及び前記第２のアプリケーションに関する広告を指定するステップは前記通信端末が実行し、
前記発行するステップは前記広告配信サーバが実行し、
前記第２の格納手段に格納するステップは前記リダイレクトサーバが実行し、
前記判定するステップは前記コンバージョンサーバが実行することを特徴とする［１］記載のコンバージョン計測方法。
［５］
ユーザによって利用される通信端末を備えるコンバージョン計測システムにおいて、
前記通信端末において第１のアプリケーションが起動された場合、当該通信端末を利用するユーザに割り当てられたユーザ識別情報を発行する発行手段と、
前記第１のアプリケーションが起動された通信端末の画面に、前記第１のアプリケーションとは異なる第２のアプリケーションに関する広告を表示する表示手段と、
前記発行されたユーザ識別情報を格納する第１の格納手段と、
前記通信端末に対して前記第２のアプリケーションに関する広告を指定する操作が前記ユーザによって行われた場合、前記第１の格納手段に格納されたユーザ識別情報及び前記第２のアプリケーションを識別するためのアプリケーション識別情報を含むコンバージョン判定データを格納する第２の格納手段と、
前記第２のアプリケーションが前記通信端末において起動された場合、前記第１の格納手段に格納されたユーザ識別情報及び前記第２のアプリケーションを識別するためのアプリケーション識別情報を含むコンバージョン判定データが前記第２の格納手段に格納されているかを判定する判定処理手段と
を具備することを特徴とするコンバージョン計測システム。
【符号の説明】
【００９２】
１０…通信端末、２０…広告配信サーバ、３０…リダイレクトサーバ、４０…コンバージョンサーバ、５０…ネットワーク、１１…問い合わせ処理部、１２…格納部、１３…広告表示処理部、１４…通知部、２１…問い合わせ受付部、２２…広告取得部、２３…ＩＤ発行部、２４…広告配信部、３１…受信部、３２…データ格納処理部、３３…格納部、３４…リダイレクト処理部、４１…受信部、４２…判定処理部、４３…コンバージョン処理部。
【図１】
2014211901.tif 000003
【図２】
2014211901.tif 000004
【図３】
2014211901.tif 000005
【図４】
2014211901.tif 000006
【図５】
2014211901.tif 000007
【図６】
2014211901.tif 000008
【図７】
2014211901.tif 000009
【図８】
2014211901.tif 000010
【図９】
2014211901.tif 000011
【図１０】
2014211901.tif 000012